(57)【要約】      （修正有）【課題】保管している期間にわたり香りを持続させ得る吸収性物品を提供する。【解決手段】吸収体１４と表面材１２と裏面材とを備えた吸収性物品１０であって、吸収体１４が香料により賦香されているか又は、香料により賦香された賦香シートが吸収体１４と表面材１２との間に配されている。縦方向Ｘの中央部において肌対向面を内面側として縦方向Ｘに二つ折りされており、腹側部Ａ及び背側部Ｂそれぞれにおける吸収性物品１０の非肌対向面側の表面であって且つ吸収体１４と平面視において重なる位置に剛性部材１９が配されている。剛性部材１９は、外力が加わったときに吸収体１４を変形させ得る剛性を有する。【選択図】図１
0003229823.tif 000002
【実用新案登録請求の範囲】
【請求項１】
着用者の前後方向に対応する縦方向及び該縦方向に直交する横方向を有するとともに、着用者の股間部に配される股下部並びに該股下部の前後に延在する腹側部及び背側部を有し、吸収体と、該吸収体の肌対向面側に配された表面材と、該吸収体の非肌対向面側に配された裏面材とを備えた吸収性物品であって、
前記吸収体が香料により賦香されているか又は、香料により賦香された賦香シートが前記吸収体と前記表面材との間に配されており、
前記縦方向の中央部において肌対向面を内面側として該縦方向に二つ折りされており、
前記腹側部及び前記背側部それぞれにおける前記吸収性物品の非肌対向面側の表面であって且つ前記吸収体と平面視において重なる位置に剛性部材が配されており、
前記剛性部材は、該剛性部材に外力が加わったときに前記吸収体を変形させ得る剛性を有するものである、吸収性物品。
【請求項２】
前記吸収性物品が二つ折りされた状態において、前記腹側部に配された前記剛性部材と前記背側部に配された前記剛性部材とが厚み方向に重なる位置に配されている、請求項１に記載の吸収性物品。
【請求項３】
前記剛性部材は、カンチレバー法で測定した剛性が１０ｍｍ以上であり、坪量が４０ｇ／ｍ２以上である、請求項１又は２に記載の吸収性物品。
【請求項４】
前記剛性部材は、厚みが０．２ｍｍ以上である、請求項１〜３のいずれか一項に記載の吸収性物品。
【請求項５】
前記吸収体は吸水性ポリマーを含有し、該吸水性ポリマーの表面に抗菌剤が担持されている、請求項１〜４のいずれか一項に記載の吸収性物品。
【請求項６】
前記香料は、前記腹側部に配された前記剛性部材と前記背側部に配された前記剛性部材との間の領域に配されており、
前記香料が配された領域における前記横方向の長さは、前記剛性部材における前記横方向の長さの１倍以上５倍以下である、請求項１〜５のいずれか一項に記載の吸収性物品。
【請求項７】
前記剛性部材は、面ファスナーの雄部材又は雌部材である、請求項１〜６のいずれか一項に記載の吸収性物品。
【請求項８】
請求項１〜７のいずれか一項に記載の吸収性物品が包装袋内に複数個収容されている包装体。
【請求項９】
前記吸収性物品における二つ折りの折り部が同方向を向くように各吸収性物品が前記包装袋内に収容されており、
前記包装袋における、前記吸収性物品の前記折り部とは反対側の部分と対向する部分に、前記吸収性物品を取り出すための開口部が設けられていない、請求項８に記載の包装体。
【請求項１０】
隣り合う前記吸収性物品における前記剛性部材どうしが該吸収性物品の厚み方向に重なるように前記包装袋内に収容されている、請求項８又は９に記載の包装体。
【考案の詳細な説明】
【技術分野】
【０００１】
本考案は吸収性物品に関する。
【背景技術】
【０００２】
尿取りパッドや使い捨ておむつ等の吸収性物品においては、該吸収性物品の使用中に、該吸収性物品に排尿された尿の臭いが時間とともに強くなり、介護者や要介護者の生活環境のみならず、介護者や要介護者の情緒面においても快適性が阻害される場合がある。そこで、各種の消臭技術により尿臭を感じさせないようにする工夫がなされている。各種の消臭技術のうち、吸収性物品に香りを付けて尿臭を感じさせないようにする方法は、近年日用品についても香り付きのものを好む嗜好傾向が強くなっていることもあり、有効な手段の一つである。例えば、特許文献１に記載された吸収性物品は、吸収性コアを被覆する被覆シートに香料が含まれている。香料としては、大気圧下で香気を大気中に蒸散し得るものが用いられる。吸収性物品が尿取りパッドである場合、香りを賦香するときには、一般的に、吸収体と該吸収体の肌対向面側に配された表面材との間に配された賦香シート、又は吸収体に香料を滴下又は噴霧することが行われている。
【０００３】
通常、尿取りパッドは、図７に示すとおり、幅方向の両側部を該幅方向内方に折り返した後、長手方向における２箇所において該長手方向に折り返して三つ折り状態にされ、該三つ折り状態の吸収性物品を複数積層して包装体に収容される。また、特許文献２には、尿取りパッドを、幅方向に沿う中央線に沿って、肌対向面どうしが対向するように２つ折りし、その２つ折り状態の吸収性物品を包装体に収容することが記載されている。
【先行技術文献】
【特許文献】
【０００４】
【特許文献１】特開２０１８−１０２９１０号公報
【特許文献２】特開２０１３−２５５５５０号公報
【考案の概要】
【考案が解決しようとする課題】
【０００５】
特許文献１のように、香料により吸収性物品に賦香した場合、香料は揮発しやすい材料からなるので、吸収性物品を保管している期間にわたり香りを持続させることが課題となっている。
尿取りパッド等の吸収性物品を三つ折り状態にした場合、図７に示すとおり、幅方向の中央部に空間Ｅが形成される。三つ折り状態の吸収性物品が香料により賦香されている場合、空間Ｅを通じて香料が揮散しやすいので、香りを持続させることが困難である。香りを持続させるためには、吸収性物品に使用する香料の量を増やすことが考えられる。しかしその場合には、製造直後の吸収性物品の香りが強くなりすぎ、その香りを不快に感じたり、吸収性物品の輸送中に、該吸収性物品に隣接する無香料の吸収性物品に香りが移ってしまったりするので、吸収性物品に使用する香料の量を過度に増やすことは困難である。
【０００６】
特許文献１及び２のいずれに記載の吸収性物品においても、その保管中の期間にわたり香りを持続させるとともに、吸収性物品の香りが不快になることを防ぎ且つ吸収性物品の輸送中に他の吸収性物品に香りが移ることを防ぐことは困難である。
したがって本考案の課題は、前述した従来技術が有する欠点を解消し得る吸収性物品を提供することにある。
【課題を解決するための手段】
【０００７】
本考案は、着用者の前後方向に対応する縦方向及び該縦方向に直交する横方向を有するとともに、着用者の股間部に配される股下部並びに該股下部の前後に延在する腹側部及び背側部を有し、吸収体と、該吸収体の肌対向面側に配された表面材と、該吸収体の非肌対向面側に配された裏面材とを備えた吸収性物品であって、
前記吸収体が香料により賦香されているか又は、香料により賦香された賦香シートが前記吸収体と前記表面材との間に配されており、
前記縦方向の中央部において肌対向面を内面側として該縦方向に二つ折りされており、
前記腹側部及び前記背側部それぞれにおける前記吸収性物品の非肌対向面側の表面であって且つ前記吸収体と平面視において重なる位置に剛性部材が配されており、
前記剛性部材は、該剛性部材に外力が加わったときに前記吸収体を変形させ得る剛性を有するものである、吸収性物品を提供するものである。
【考案の効果】
【０００８】
本考案によれば、吸収性物品を保管している期間にわたり香りを持続させるとともに、吸収性物品の香りが不快になることを防ぎ且つ吸収性物品の輸送中に他の吸収性物品に香りが移ることを防ぐことができる吸収性物品が提供される。
【図面の簡単な説明】
【０００９】
【図１】図１は、本考案の吸収性物品の一実施形態を模式的に表す平面図である。
【図２】図２は、図１のＩＩ−ＩＩ線断面図である。
【図３】図３は、図１に示す吸収性物品を縦方向に二つ折りした状態を示す斜視図である。
【図４】図４は、図３のＩＶ線断面図である。
【図５】図５は、図１に示す吸収性物品を収容した包装体を模式的に表す斜視図である。
【図６】図６（ａ）は、図５のＶＩａ−ＶＩａ線断面図であり、図６（ｂ）は、図５のＶＩｂ−ＶＩｂ線断面図である。
【図７】図７は、三つ折り状態の吸収性物品を模式的に表す斜視図である。
【考案を実施するための形態】
【００１０】
以下本考案を、その好ましい実施形態に基づき図面を参照しながら説明する。
図１には、本考案の吸収性物品の一実施形態である尿取りパッド１０が示されている。尿取りパッド１０は、該尿取りパッド１０とは別体のサニタリー製品、例えば使い捨ておむつやおむつカバーの肌対向面側に配置して使用することができる。
【００１１】
尿取りパッド１０は、図１に示すとおり、着用者の前後方向に対応する縦方向Ｘ及び該縦方向Ｘに直交する横方向Ｙを有する。また、尿取りパッド１０は、着用者の股間部に配される股下部Ｃ並びに該股下部Ｃの前後に延在する腹側部Ａ及び背側部Ｂを有する。
【００１２】
尿取りパッド１０は、吸収体１４と、該吸収体１４の肌対向面側に配された表面材１２と、該吸収体１４の非肌対向面側に配された裏面材１３とを有する。裏面材１３は、防漏シート１３ａと、該防漏シート１３ａの非肌対向面側に配された外装不織布１３ｂとの積層体からなる。
【００１３】
「肌対向面」は、吸収性物品又はその構成部材（例えば吸収体）に着目したときに、吸収性物品の着用時に着用者の肌に向けられる面であり、「非肌対向面」は、吸収性物品の着用時に着用者の肌とは反対側に向けられる面である。また「着用時」及び「着用状態」は、吸収性物品の適正な着用位置が維持されて着用された状態を指す。
【００１４】
尿取りパッド１０は、図１及び図２に示すとおり、該尿取りパッド１０の肌対向面における縦方向Ｘに沿う左右両側部に一対の防漏カフ１５，１５を備えていてもよい。防漏カフ１５は縦方向Ｘに沿って延びている。防漏カフ１５は、図２に示すとおり、横方向Ｙの一端側が他の構成部材、例えば表面材１２に固定されて固定端部１５ａとされている。また防漏カフ１５は、横方向Ｙの他端側が他の構成部材に非固定の自由端部１５ｂとされている。防漏カフ１５の自由端部１５ｂには、糸状又は帯状の弾性部材１６が縦方向Ｘに沿って伸長状態で配置されている。防漏カフ１５は、伸長状態で配された弾性部材１６が、尿取りパッド１０の着用状態において収縮することによって少なくとも股下部Ｃで起立し、それによって尿等の排泄物の横方向Ｙの外方への流出が阻止するようになっている。
【００１５】
尿取りパッド１０は、香料により賦香されている。本実施形態では、図１中、尿取りパッド１０の平面視において、符号Ｒで示す点線の略矩形で示す領域内（ドット状の模様で示す領域内）が香料により賦香されている。図１に示す実施形態においては、領域Ｒは吸収体１４の全域にわたっている。香料は、例えば領域Ｒ内の全域に施すことができ、あるいは領域Ｒ内の一部、例えば領域Ｒ内において縦筋状に施すことができる。
【００１６】
香料によって賦香する部材としては、例えば吸収体１４が挙げられる。後述するとおり、吸収体１４は一般に吸収性コアとそれを被覆するコアラップシートとから構成されることが好ましいところ、香料は、吸収性コア及び／又はコアラップシートに施すことができる。
香料によって賦香する部材としては、香料により賦香された賦香シートを用いることができる。例えば図１に示すとおり、吸収体１４と表面材１２との間に賦香シート１８を配することができる。
【００１７】
尿取りパッド１０は、図３及び図４に示すとおり、その使用前の状態において縦方向Ｘに二つ折りされている。詳細には、尿取りパッド１０は、縦方向Ｘの中央部において、横方向に延びる折り線の位置で肌対向面を内面側として二つ折りされている。図１に示す実施形態では、尿取りパッド１０は、横方向に沿って延びる折り線ＣＬに沿って二つ折りされている。折り線ＣＬは、尿取りパッド１０を縦方向Ｘに二等分する位置に配されている。
【００１８】
二つ折りされた尿取りパッド（以下、「二つ折りパッド」ともいう。）２０は図３及び４に示すとおり、その縦方向の一方の端部に位置する折り部２３と、該折り部２３とは反対側に位置する開放外縁部２４とを有している。説明の便宜上、二つ折りパッド２０における折り部２３よりも腹側部Ａ側の部分を「第１部２１」と称し、折り部２３よりも背側部Ｂ側の部分を「第２部２２」と称する。二つ折りパッド２０において、第１部２１と第２部２２とは互いに対向している。開放外縁部２４は、第１部２１における折り部２３とは反対側の端部と、第２部２２における折り部２３とは反対側の端部とが重ね合わされて形成されている。開放外縁部２４は、二つ折りパッド２０における、折り部２３とは反対側の端縁及びその近傍を含む部分である。第１部２１と第２部２２とは密着しており、第１部２１と第２部２２との間には空間が極力形成されていないことが好ましい。
【００１９】
尿取りパッド１０の非肌対向面側の表面には、図３及び図４に示すとおり、剛性部材１９が配されている。剛性部材１９は平面視して横方向Ｙに長い矩形形状を有している。尤も剛性部材１９の形状はこれに制限されず、縦方向Ｘに長い矩形状であってもよく、あるいは矩形形状以外の形状、例えば円形、楕円形、長円形、矩形以外の多角形などを採用することもできる。
【００２０】
剛性部材１９は、該剛性部材１９に外力が加わったときに吸収体１４を変形させ得る剛性を有するものであることが好ましい。二つ折りパッド２０においては、第１部２１又は第２部２２に位置する剛性部材１９に外力が加わり吸収体１４が変形することにより、第２部２２又は第１部２１が、第１部２１又は第２部２２に押し付けられるようになっている。
【００２１】
吸収体１４を変形させ得る剛性とは、例えば、二つ折り状態の尿取りパッド１０における一方の剛性部材１９に１ＭＰａの圧力を加えた場合に、該剛性部材１９が位置する部分に対応する吸収体１４の厚みが１％以上減少する程度に剛性部材１９の剛性が高いことをいう。
【００２２】
剛性部材１９の配置位置について詳述すると、剛性部材１９は外装不織布１３ｂの非肌対向面に配されている。剛性部材１９は、腹側部Ａ及び背側部Ｂそれぞれに配されている。つまり剛性部材１９は、第１部２１及び第２部２２それぞれに配されている。
第１部２１に配されている剛性部材１９と、第２部２２に配されている剛性部材１９とは、同寸法且つ同形でもよく、あるいはそうでなくてもよい。
剛性部材１９は、吸収体１４と平面視において重なる位置に配されていることが好ましい。剛性部材１９はその全域が吸収体１４と平面視において重なっていてもよいし、剛性部材１９はその一部が吸収体１４と平面視において重なっていてもよい。例えば、腹側部Ａにおいて、剛性部材１９の縦方向Ｘ外方側の端部は、吸収体１４の縦方向Ｘ外方側の端部よりも縦方向Ｘ内方に位置していてもよい。あるいは剛性部材１９の縦方向Ｘ外方側の端部は、吸収体１４の縦方向Ｘ外方側の端部よりも縦方向Ｘ外方に位置していてもよい。背側部Ｂについても同様である。
【００２３】
本実施形態の尿取りパッド１０は、上述のように、尿取りパッド１０を横方向Ｙに三つ折りすることなく、縦方向Ｘに二つ折りされている。したがって、二つ折りパッド２０においては、第１部２１及び第２部２２の相対向する面どうしが密着しやすく、該相対向する面どうしの間に空間が形成されにくいので、尿取りパッド１０に施されている香料が揮散しにくい。これにより、尿取りパッド１０を二つ折りにして保管している期間にわたり香料が揮散しづらくなる。
【００２４】
また二つ折りパッド２０においては、第１部２１における賦香された部分と、第２部２２における賦香された部分とが厚み方向に重なった状態となることが、香料の揮散を抑制する観点から好ましい。両者が重なった領域は、二つ折りする前の尿取りパッド１０を平坦に広げた状態に比べて単位面積当たりの香料の存在量が２倍となる。その結果、第１部２１及び第２部２２における賦香された部分どうしが重なった領域では、香料の揮散が抑制され、香りの安定性が保たれる。また、第１部２１及び第２部２２における賦香された部分どうしが重なった領域が、二つ折りパッド２０における厚み方向の中央域に位置していることも、香料の揮散を抑制し、香りの安定性を保つことに寄与する点から好ましい。この観点から、賦香シート１８を表面材１２と吸収体１４との間に配置することは有利である。
【００２５】
このように、本実施形態の尿取りパッド１０によれば、尿取りパッド１０を保管している期間にわたり香料の揮散を抑制することができる。したがって、本実施形態の尿取りパッド１０によれば、尿取りパッド１０に使用する香料の量を過度に増やす必要がないので、尿取りパッド１０の使用者等に不快な強い香気を知覚させることはない。
また本実施形態の尿取りパッド１０は香料が揮散しにくいので、該尿取りパッド１０の輸送中に、該尿取りパッド１０に隣接する他の無香料の吸収性物品等に香りが移ってしまうことを防止することができる。
【００２６】
本実施形態の尿取りパッド１０では、腹側部Ａに位置する剛性部材１９と背側部Ｂに位置する剛性部材１９とは、該尿取りパッド１０を二つ折りパッド２０としたときに、厚み方向に重なる位置に配置されていてもよく、あるいは重ならない位置に配置されていてもよい。特に両剛性部材１９どうしが厚み方向に重なる位置に配置されていると、後述する包装体３０に複数の二つ折りパッド２０を収容し、該折りパッド２０が厚み方向に圧縮されたときに、剛性部材１９の作用によって、二つ折りパッド２０における第１部２１及び第２部２２をより密着させることができる。その結果、第１部２１と第２部２２とが離間することが効果的に防止され、延いては第１部２１と第２部２２との間に空間が生じることが効果的に防止される。それによって香料が揮散することを効果的に防ぐことができる。また第１部２１と第２部２２とを密着させることにより、二つ折りパッド２０における開放外縁部２４を封止して香料が揮散することを防ぐこともできる。
腹側部Ａに位置する剛性部材１９と背側部Ｂに位置する剛性部材１９とは、それらの全域にわたって重なっていてもよいし、一部のみが重なっていてもよい。これらの効果が一層顕著に奏されるようにする観点から、第１部２１に配されている剛性部材１９と、第２部２２に配されている剛性部材１９とが、同寸法且つ同形である場合には、全域にわたって両者の重なっていることが好ましい。具体的には、縦方向Ｘ及び横方向Ｙの両方において、ほぼ重なる位置にあることが好ましい。
【００２７】
剛性部材１９は、該剛性部材１９に外力が加わったとき、特に後述する包装体３０に複数の二つ折りパッド２０を収容し、該二つ折りパッド２０が厚み方向に圧縮されたときに、該剛性部材１９が変形しない程度に剛性が高いことが好ましい。剛性部材１９の剛性が低く、該剛性部材１９に外力が加わったときに該剛性部材１９が変形してしまう場合、該外力が吸収体１４に伝わりにくくなってしまう。剛性部材１９の剛性が高いことにより、該剛性部材１９に外力が加わったときに吸収体１４を一層変形させやすくすることができる。これにより、二つ折りパッド２０において剛性部材１９に外力が加わったときに、第１部２１と第２部２２とがより密着しやすくなり、香料が揮散することをより効果的に防止することができる。この効果が一層顕著に奏されるようにする観点から、剛性部材１９は、カンチレバー法により測定した剛性が、好ましくは１０ｍｍ以上であり、より好ましくは２０ｍｍ以上であり、更に好ましくは２５ｍｍ以上である。剛性部材１９の剛性の上限は、快適な装着感を得るためには尿取りパッド使用時に体に沿うように柔軟に変形する観点から３００ｍｍとすることができる。カンチレバー法による剛性の測定は、以下の方法により測定することができる。また、剛性部材１９の剛性の値を上述した範囲内にするために必要な該剛性部材１９の坪量は、好ましくは４０ｇ／ｍ２以上、より好ましくは５０ｇ／ｍ２以上である。
【００２８】
＜剛性の測定方法＞
カンチレバー法による剛性の測定方法は、ＪＩＳ  Ｌ１０９６  ６．１９．１に準じて行う。具体的には、２ｃｍ×約３０ｃｍの試験片を対象として測定を行う。このとき、試験片の長手方向を、尿取りパッド１０に取り付けられている状態の剛性部材１９（図３参照）における長手方向と一致させる。測定は３回行い、その平均値をもって剛性の値とする。ただし、尿取りパッド１０から取り出した剛性部材１９の幅が２ｃｍに満たない場合は、該剛性部材１９の幅が１ｃｍ以上であれば該剛性部材１９を試験片として用いる。尿取りパッド１０から取り出した剛性部材１９の長手方向長さが３０ｃｍに満たない場合においても、該剛性部材１９を試験片として用いて測定する。
【００２９】
剛性部材１９は、後述する包装体３０に複数の二つ折りパッド２０を収容し、該二つ折りパッド２０が厚み方向に圧縮されたときに、該剛性部材１９により吸収体１４を変形させることができる程度に厚みが厚いことが好ましい。こうすることにより、剛性部材１９の剛性が高いことにより奏される効果と同様の効果が奏される。この効果が一層顕著に奏されるようにする観点から、剛性部材１９の厚みは、好ましくは０．２ｍｍ以上であり、より好ましくは０．３ｍｍ以上である。剛性部材１９の厚みの上限は、快適な装着感を得るためには尿取りパッド使用時に体に沿うように柔軟に変形する観点から５．０ｍｍとすることができる。
【００３０】
上述したとおり香料は、図１に示す領域Ｒ内の全域に配されていてもよいし、一部にのみ配されていてもよい。二つ折りパッド２０においては、例えば第１部２１に配された剛性部材１９に外力が加わることにより、第１部２１における該剛性部材１９が配されている領域を中心とした、該剛性部材１９が配されている領域よりも広い領域が第２部２２に押し付けられる。したがって、尿取りパッド１０における香料が配されている領域Ｒの横方向Ｙの長さＬ１（図１参照）が、剛性部材１９の横方向Ｙの長さＤ１（図１参照）よりも長い場合であっても、香料の揮散を防ぐことができる。
香料の揮散を一層確実に防止する観点から、香料が配されている領域Ｒの横方向Ｙの長さＬ１は、剛性部材１９の横方向Ｙの長さＤ１に比して、好ましくは１倍以上、より好ましくは１．５倍以上であり、また好ましくは５倍以下、より好ましくは４倍以下、更に好ましくは３倍以下であり、また好ましくは１倍以上５倍以下、より好ましくは１倍以上４倍以下、更に好ましくは１．５倍以上３倍以下である。
【００３１】
香料は、二つ折りする前の尿取りパッド１０を平面視した状態での縦方向Ｘにおいて、腹側部Ａに配された剛性部材１９と背側部Ｂに配された剛性部材１９との間の領域に配されていることが好ましい。こうすることにより、剛性部材１９により二つ折りパッド２０の開放外縁部２４を封止し香料の揮散を防ぐという効果を一層顕著にすることができる。以下、この点について詳述する。
二つ折りパッド２０においては、腹側部Ａの剛性部材１９と背側部Ｂの剛性部材１９が厚み方向に重なる部分において、開放外縁部２４が封止される。二つ折りパッド２０における開放外縁部２４と反対側には折り部２３が位置しているので、該二つ折りパッド２０は折り部２３と、剛性部材１９とが位置する部分との間で封止されることになる。しかし、二つ折りパッド２０における、剛性部材１９よりも開放外縁部２４寄りの部分においては、第１部２１と第２部２２とは確実に封止されない場合がある。したがって、二つ折りパッド２０における、剛性部材１９よりも開放外縁部２４寄りの部分は、該二つ折りパッド２０の縦方向Ｘにおける折り部２３から剛性部材１９までの部分に比して、香料が揮散しやすい傾向にある。香料が、腹側部Ａの剛性部材１９と背側部Ｂの剛性部材１９との間の領域に配されていることにより、二つ折りパッド２０の縦方向Ｘにおける両端部が封止された部分に香料が配されることになる。その結果、香料の揮散を防ぐという上述の効果を一層顕著にすることができる。
【００３２】
「香料が腹側部Ａの剛性部材１９と背側部Ｂの剛性部材１９との間の領域に配されている」とは、香料が配されている領域Ｒにおける縦方向Ｘの両端が、腹側部Ａ及び背側部Ｂの剛性部材１９における縦方向Ｘの内端よりも縦方向Ｘ内方に位置している場合のみならず、香料が配されている領域Ｒにおける縦方向Ｘのいずれか一方の端が、腹側部Ａ及び背側部Ｂの剛性部材１９と重なっている場合も含む。
香料は、腹側部Ａにおける剛性部材１９の配置位置よりも開放外縁部２４側の領域に施されていないことが好ましい。同様に香料は、背側部Ｂにおける剛性部材１９の配置位置よりも開放外縁部２４側の領域に施されていないことが好ましい。
【００３３】
香料が賦香されている領域Ｒは、複数の領域に分割されていてもよい。例えば、尿取りパッド１０における横方向Ｙの中央部及び横方向Ｙの両側部それぞれに、香料が賦香されている領域を縦方向Ｘに延びる帯状形状に形成してもよい。
【００３４】
次に、本実施形態の尿取りパッド１０を収容する包装体３０について説明する。図５には、尿取りパッド１０を収容する包装体３０が示されている。包装体３０は包装袋３１を有しており、該包装袋３１内に、尿取りパッド１０が複数個収容されるようになっている。図５に示す実施形態では、収容される尿取りパッド１０は二つ折りされて、二つ折りパッド２０となっている。包装袋３１内に収容された各二つ折りパッド２０は、それらのすべてにおける折り部２３が同方向を向いている。
【００３５】
包装袋３１はミシン目３２を有しており、該ミシン目３２に沿って包装袋３１を破断させることにより、二つ折りパッド２０を取り出すための開口部３３が形成されるようになっている。ミシン目３２は、包装袋３１に収容されている二つ折りパッド２０の折り部２３と対向する部分に設けられていることが好ましい。例えば包装袋３１が略直方体であり、該直方体の四つの側面におけるいずれか一つの側面に折り部２３が対向するように二つ折りパッド２０が収容されている場合には、該側面に、開口部３３の形成用のミシン目３２が設けられていることが好ましい。こうすることよって、尿取りパッド１０の保存期間にわたり、香料の揮散を一層抑制することが可能になる。
ミシン目３２は、包装袋３１における二つ折りパッド２０の第１部２１の外面と対向する部分にも設けられていることが、尿取りパッド１０の取り出し性の点から好ましい。例えば、剛性部材１９として面ファスナーのオス部材を使用した尿取りパッド１０を包装袋３１から取り出す場合に、該包装袋３１における二つ折りパッド２０の第１部２１の外面と対向する部分に設けられたミシン目３２を破断させて形成した開口部３３から該尿取りパッド１０取り出すことにより、該尿取りパッド１０取り出すときに隣り合った尿取りパッド１０と剪断力が働きにくいので、尿取りパッドを容易に取り出すことができる。
【００３６】
包装袋３１における二つ折りパッド２０の開放外縁部２４と対向する部分には、ミシン目３２は設けられておらず、該部分には二つ折りパッド２０を取り出すための開口部３３は設けられていないことが好ましい。上述のように、二つ折りパッド２０における、剛性部材１９よりも開放外縁部２４寄りの部分においては、第１部２１と第２部２２との対向面が確実に密着していないので、二つ折りパッド２０の開放外縁部２４側は折り部２３側と比して相対的に香料が揮散しやすい状態にある。したがって、包装袋３１における二つ折りパッド２０の開放外縁部２４と対向する部分に開口部３３を設けないことで、香料の揮散を一層確実に防止することができる。
【００３７】
包装体３０では、隣り合う二つ折りパッド２０における剛性部材１９どうしが該二つ折りパッド２０の厚み方向に重なるように包装袋３１内に収容されていることが好ましい。こうすることで、複数の二つ折りパッド２０が収容された包装袋３１内において、隣り合う二つ折りパッド２０における剛性部材１９どうしが押し合う力が大きくなり、剛性部材１９による二つ折りパッド２０の開放外縁部２４の封止効果が一層顕著に奏されるようになる。
【００３８】
次に、本実施形態の尿取りパッド１０及び包装体３０の構成材料について説明する。
【００３９】
表面材１２としては、例えば親水性を有する液透過性のシートや、不織布、穿孔フィルムなどを用いることもできる。表面材１２は、その肌対向面側が凹凸形状になっていてもよい。例えば表面材１２の肌対向面側に、散点状に複数の凸部を形成することができる。あるいは、表面材１２の肌対向面側に、一方向に延びる畝部と溝部とを交互に形成することができる。そのような目的のために、２枚の不織布を用いて表面材１２を形成することもできる。
【００４０】
裏面材１３の防漏シート１３ａとしては、例えば液不透過性のフィルムや、液難透過性のスパンボンド・メルトブローン・スパンボンド積層不織布などを用いることができる。液不透過性のフィルムに、複数の微細孔を設け、該フィルムに水蒸気透過性を付与してもよい。吸収性物品の肌触り等を一層良好にする目的で、裏面材１３の外面に不織布等の風合いの良好なシートを積層してもよい。
【００４１】
裏面材１３の外装不織布１３ｂとしては、各種製法による不織布、例えば、エアスルー不織布、スパンボンド不織布、スパンレース不織布、ニードルパンチ不織布等を用いることができ、多層構造のものであっても良い。
【００４２】
吸収体１４は、吸収性コアを備えている。吸収性コアは例えばパルプを初めとするセルロース等の親水性繊維の積繊体、該親水性繊維と吸水性ポリマーとの混合積繊体、吸水性ポリマーの堆積体、２枚の吸収性シート間に吸水性ポリマーが担持された積層構造体などから構成される。吸収性コアは、少なくともその肌対向面が液透過性のコアラップシートで覆われていてもよく、肌対向面及び非肌対向面を含む表面の全域がコアラップシートで覆われていてもよい。コアラップシートとしては、例えば親水性繊維からなる薄葉紙や、液透過性を有する不織布などを用いることができる。
【００４３】
ところで、吸収性物品の使用中に便や尿等の排泄物を排泄した場合、肌の清拭により排泄物由来の菌をすべて除去することは困難である。したがって、使用済みの吸収性物品を新しい吸収性物品に交換したとしても、肌に残った菌が、排尿された尿とともに吸収性物品内に移行して増殖するとともに、菌が尿を分解して強い尿臭を発生させることがある。このような吸収性物品に香りを賦香しても、強い尿臭を感じにくくすることは困難である。尿臭を感じにくくするためには、吸収性物品に使用する香料の量を増やすことが考えられるが、その場合には、先に述べたとおり、吸収性物品の香りを不快に感じたり、吸収性物品の輸送中に他の収性物品に香りが移ってしまったりするので、現実的ではない。そこで、排泄物の菌由来の強い尿臭が発生してしまうことを防ぐ観点から、本実施形態の尿取りパッド１０においては、吸収体１４が、表面に抗菌剤が担持された吸水性ポリマーを含有していることが好ましい。こうすることにより、菌の増殖を防ぐことができるので、上述した香料の揮散防止効果に加えて、尿取りパッド１０に使用する香料の量を増やすことなく、尿取りパッド１０の使用者等が尿臭を感じにくくすることができる。
【００４４】
吸水性ポリマーとしては、デンプンや架橋カルボキシルメチル化セルロース、アクリル酸又はアクリル酸アルカリ金属塩の重合体又は共重合体等、ポリアクリル酸及びその塩並びにポリアクリル酸塩グラフト重合体を挙げることができる。ポリアクリル酸塩としては、ナトリウム塩を好ましく用いることができる。また、アクリル酸にマレイン酸、イタコン酸、アクリルアミド、２−アクリルアミド−２−メチルプロパンスルホン酸、２−（メタ）アクリロイルエタンスルホン酸、２−ヒドロキシエチル（メタ）アクリレート又はスチレンスルホン酸等のコモノマーを吸水性樹脂の性能を低下させない範囲で共重合させた共重合体も好ましく使用し得る。
【００４５】
抗菌剤としては、有機化合物を用いることが好ましい。有機抗菌剤は、酸化亜鉛や銀含有抗菌剤等の無機抗菌剤に比べて抗菌効果が高いからである。また抗菌剤としては、疎水性のものを用いることが好ましい。疎水性抗菌剤は、親水性抗菌剤に比べて皮膚刺激性が低いからである。親水性抗菌剤は、親水性であるがゆえに皮膚に浸透しやすく、そのことに起因して皮膚に刺激を与えやすい。これとは対照的に、疎水性抗菌剤は、疎水性であるがゆえに皮膚に浸透しづらく、皮膚の表面にとどまりやすいので、皮膚に刺激を与えづらい。抗菌剤が疎水性であるとは、２５℃の水に対する溶解度が好ましくは４０ｇ以下、更に好ましくは１０ｇ以下、一層好ましくは１ｇ以下であることを言う。抗菌剤の溶解度は次の方法によって測定することができる。２５℃の純水１００ｇに対して、十分乾燥させた抗菌剤を投入し、スターラー又は振とう機で撹拌して溶解させ、１時間撹拌しても溶解できない直前の投入量を、当該抗菌剤の２５℃の水に対する溶解度とする。
【００４６】
抗菌剤を吸水性ポリマーの表面に担持させる方法としては、抗菌剤を有機溶媒に溶解して抗菌剤溶液となし、この抗菌剤溶液と吸水性ポリマーとを混合する方法が挙げられる。抗菌剤溶液と吸水性ポリマーとを混合することで、該吸水性ポリマーに均一に抗菌剤を付着させることができる。抗菌剤を吸水性ポリマーの表面に担持させる方法としては、例えば、特開２０１６−１３５８６５号公報に記載の方法を用いることができる。
【００４７】
防漏カフ１５は疎水性であることが好ましい。こうすることで、尿等の排泄物の横漏れをより効果的に防ぐことができるようになる。疎水性の防漏カフ１５としては、例えば、疎水性の不織布を用いることができ、具体的には、エアスルー不織布、スパンボンド不織布、スパンボンド・メルトブローン・スパンボンド積層不織布等を用いることができ、その他にも、疎水性の樹脂フィルム、該樹脂フィルムと該不織布との積層体等を用いることができる。
【００４８】
香料としては、大気圧下で香気成分を大気中に揮散して、経血等の排泄液に起因する不快な臭いを香気によってマスキング及び／又はハーモナージュし得るものであればよく、常温常圧の環境下でその香気を知覚し得る通常の香料を特に制限なく用いることができ、尿取りパッドなどの吸収性物品において従来用いられてきたものを用いることができる。香料としては例えば、植物の抽出エキス、柑橘類の抽出エキス、動物からの抽出エキス、鉱物抽出エキス、合成香料等が挙げられる。
【００４９】
剛性部材１９としては、面ファスナーの雄部材又は雌部材を用いることができ、面ファスナーの雄部材であることが特に好ましい。特に、剛性部材１９として面ファスナーの雄部材を用いることで、該剛性部材１９を香料の揮散抑制手段として用いることができるだけでなく、尿取りパッド１０を、使い捨ておむつの表面材へ固定するための固定手段として用いることができるので非常に簡便である。
面ファスナーの雄部材は、基材シートと該基材シートから立設するフック部材とを有している。剛性部材１９を面ファスナーの雄部材とすることにより、フック部材の高さの分だけ剛性部材１９の厚みを大きくすることができるので、剛性部材１９による香料の揮散防止効果が一層顕著に奏されるようにすることができるという利点もある。
面ファスナー以外に、剛性部材１９を構成する材料としては、例えば厚手の不織布、厚手のフィルム、厚手の紙等のシート部材が挙げられる。
【００５０】
以上、本考案をその好ましい実施形態に基づき説明したが、本考案の範囲は前記実施形態に制限されない。例えば前記実施形態は、本考案を尿取りパッド１０に適用した例であるが、本考案はそれ以外の吸収性物品にも適用が可能である。そのような吸収性物品としては、例えば使い捨ておむつ、生理用ナプキン及び失禁パッドなどが挙げられる。
【符号の説明】
【００５１】
１０  尿取りパッド
１２  表面材
１３  裏面材
１３ａ  防漏シート
１３ｂ  外装不織布
１４  吸収体
１５  防漏カフ
１５ａ  固定端部
１５ｂ  自由端部
１６  弾性部材
１８  賦香シート
１９  剛性部材
２０  二つ折りされた尿取りパッド（二つ折りパッド）
２１  第１部
２２  第２部
２３  折り部
２４  開放外縁部
３０  包装体
３１  包装袋
３２  ミシン目
３３  開口部
Ｘ  縦方向
Ｙ  横方向
【図１】
0003229823.tif 000003
【図２】
0003229823.tif 000004
【図３】
0003229823.tif 000005
【図４】
0003229823.tif 000006
【図５】
0003229823.tif 000007
【図６】
0003229823.tif 000008
【図７】
0003229823.tif 000009